【事件の表示】
　特許第２９７７７４２号「ポリエステル樹脂系粉体塗料」の請求項１に係る特許に対する特許異議の申立てについて、次のとおり決定する。
【結　論】
　訂正を認める。
　特許第２９７７７４２号の請求項１に係る特許を維持する。
【理　由】
I　手続の経緯
　本件特許第２９７７７４２号に係る発明についての出願は、平成７年８月１５日に特許出願され、平成１１年９月１０日に特許権の設定登録がなされ、その後、加茂裕邦より特許異議の申立てがなされ、取消理由通知がなされ、その指定期間内である平成１３年３月２１日に訂正請求がなされたものである。
II　訂正の適否についての判断
１　訂正の内容
ア　訂正事項ａ
　訂正前の特許請求の範囲の請求項１の「ＯＨ基含有ポリエステル変性ジメチルポリシロキサン及び／又は高分子鎖中にＯＨ基を含むパーフルオロアルキル鎖のミクロドメイン構造を有するアクリルオリゴマー」を、「高分子鎖中にＯＨ基を含むパーフルオロアルキル鎖のミクロドメイン構造を有するアクリルオリゴマー」と訂正する。
イ　訂正事項ｂ
　訂正事項ａと整合をさせるために、発明の詳細な説明の欄の該当箇所を訂正する。
２　訂正の目的の適否、新規事項の有無及び拡張・変更の存否
　訂正事項ａは、訂正前の特許請求の範囲の請求項１の「ＯＨ基含有ポリエステル変性ジメチルポリシロキサン及び／又は」を削除するものであるから、特許請求の範囲の減縮を目的とした明細書の訂正に該当し、また、訂正事項ｂは、上記訂正事項ａと整合を図るものであるから、明りょうでない記載の釈明を目的とした明細書の訂正に該当し、いずれも、新規事項の追加に該当せず、実質上特許請求の範囲を拡張し、又は変更するものではない。
３　むすび
　以上のとおりであるから、上記訂正は、特許法第１２０条の４第２項ただし書及び同条第３項において準用する第１２６条第２項及び第３項の規定に適合するので、当該訂正を認める。
III　 特許異議の申立てについての判断
１　異議申立ての理由の概要
　異議申立人は、甲第１号証（「塗装技術　１９９４年１０月臨時増刊」株式会社理工出版社、１９９４年１０月、１１０〜１１４頁）、甲第２号証（特開昭６２−１８７７７２号公報）及び甲第３号証（米国特許第４,８１２,５１８号明細書）を提出し、訂正前の請求項１に係る発明は、甲第１ないし３号証に記載された発明に基づいて当業者が容易に発明をすることができたものであるから、本件特許は、特許法第２９条第２項の規定に違反してされたものであり、取り消されるべきである旨主張している。
２　本件発明
　特許第２９７７７４２号の請求項１に係る発明（以下「本件発明」という。）は、訂正明細書の特許請求の範囲の請求項１に記載された事項により特定される次のとおりのものである。
「【請求項１】ポリエステル樹脂及びブロックポリイソシアネートからなる塗料用樹脂粉体１００重量部に対して、高分子鎖中にＯＨ基を含むパーフルオロアルキル鎖のミクロドメイン構造を有するアクリルオリゴマーを０．１〜５重量部配合したことを特徴とするポリエステル樹脂系粉体塗料。」
３　引用刊行物等に記載された事項
　甲第１号証（取消理由通知で引用した刊行物１）には、ポリエステル系樹脂熱硬化型粉体塗料の主な硬化剤成分としてブロックイソシアネート（「ブロックトイソシアネート」は「ブロックイソシアネート」の誤記と認める。）が記載されている（１１１頁第１表）。
　甲第２号証には（同刊行物２）「有効な非粘着特性を生じ、潤滑性を増す量の平均式（I）
（式中、Ａ基、Ｂ基およびＤ基はそれぞれ−ＣＨ３基または−Ｚ−Ｒ−Ｑ基を示し、Ｚ基は炭素数１〜１１のアルキレン基、−（ＣＨ２）２ＳＣＨ２−基または（ＣＨ２）３ＮＨＣＯ−基を示す；Ｒ基は、少なくとも３個のカルボキシレートエステル結合を含有し、３００〜３０００の平均分子量・・・を有する、脂肪族基、環状脂肪族基または芳香族基を示す；Ｑ基はえられる組成物の樹脂成分と化学的に反応しうる反応性基を示す；ｘは４〜１５０、ｙは１〜６を示す；平均分子は少なくとも１個の−Ｚ−Ｒ−Ｑ基を含有し、−Ｚ−Ｒ−Ｑ基の数と数ｘの比は、１：３〜１：３０である）に該当するポリエステル含有ポリシロキサンからなるラッカーまたは成形用組成物。」（特許請求の範囲第１項）、「前記Ｑ基が−ＯＨ基、・・・からなる群よりえらばれた基を示す・・・組成物。」（特許請求の範囲第１２項）、「本発明の目的は、非粘着性を授け、・・・塗料またはラッカーと成形用組成物などのようなコーティング組成物の潤滑性を増加するポリシロキサンを提供することである。」（４頁左上欄１１〜１５行）、「「成形用組成物」とは、形づけられた物体をつくるために、加工された密集体・・・を意味し、密集体に含有される反応性樹脂は、一般に高められた温度で成形工程のあいだで反応をおこす。本発明の意味における反応用組成物には、たとえば・・・ポリエステル樹脂に収縮減少・・・成分として加えてもよいポリスチレン、・・・スチレン−ブタジエン共重合体のような熱可塑性樹脂と組合せたものも含まれる。」（５頁右下欄下より１行〜６頁左上欄１１行）と記載されている。
　甲第３号証は甲第２号証に対応する米国特許明細書であり、同号証には甲第２号証において認定した同じ事項が記載されている。
４　対比・判断
　本件発明と甲第１号証に記載された発明とを対比すると、甲第１号証には、ポリエステル系熱硬化性粉体塗料に、硬化剤成分としてブロックイソシアネートを添加することが記載されているが、高分子鎖中にＯＨ基を含むパーフルオロアルキル鎖のミクロドメイン構造を有するアクリルオリゴマーを配合することについて何ら示唆されていない。
　また、甲第２号証には、コーティング組成物に特定のポリシロキサンを添加することにより、塗膜の非粘着特性を生じさせることが記載されているのみで、上記アクリルオリゴマーを添加することについて記載も示唆もされていない。さらに、甲第３号証には甲第２号証と同じ事項が記載されているだけである。
　そうすると、本件発明は、甲第１ないし３号証に記載された発明を併せ考えても、当業者が容易に発明をすることができたものとはいえない。
５　むすび
　以上のとおりであるから、特許異議申立ての理由および証拠によっては、本件発明に係る特許を取り消すことができない。
　また、他に本件発明に係る特許を取り消すべき理由を発見しない。
　よって結論のとおり決定する。
【異議決定日】
平成１３年６月２２日（２００１．６．２２）
【訂正の要旨】
訂正の要旨
１　訂正事項ａ
　特許請求の範囲の請求項１の「ＯＨ基含有ポリエステル変性ジメチルポリシロキサン及び／又は高分子鎖中にＯＨ基を含むパーフルオロアルキル鎖のミクロドメイン構造を有するアクリルオリゴマー」を、「高分子鎖中にＯＨ基を含むパーフルオロアルキル鎖のミクロドメイン構造を有するアクリルオリゴマー」と訂正する。
２　訂正事項ｂ
　訂正事項ａと整合をさせるために、発明の詳細な説明の欄の該当箇所を訂正する。
（５４）【発明の名称】
ポリエステル樹脂系粉体塗料
（５７）【特許請求の範囲】
　【請求項１】　ポリエステル樹脂及びブロックポリイソシアネートからなる塗料用樹脂粉体１００重量部に対して、
高分子鎖中にＯＨ基を含むパーフルオロアルキル鎖のミクロドメイン構造を有するアクリルオリゴマー
【発明の詳細な説明】
　【０００１】
　【発明の属する技術分野】
　本発明は、耐油汚染性に優れたポリエステル樹脂系粉体塗料に関するものである。
　【０００２】
　【従来の技術】
　熱硬化型粉体塗料として、主にエポキシ樹脂系、アクリル樹脂系、ポリエステル樹脂系、エポキシ樹脂／ポリエステル樹脂系粉体塗料などが知られており、なかでも、ポリエステル樹脂系粉体塗料、特にイソシアネート硬化の末端が主にヒドロキシル基を含有するポリエステル樹脂からなる粉体塗料（以下、ポリエステル粉体塗料という。）は、耐候性、機械的強度に優れたバランスのとれた塗膜を形成する塗料として各方面で使われている。
　しかしながら、これらの熱硬化型粉体塗料で形成した塗膜は、油に汚染され易く、また容易に洗浄できない。このため従来の粉体塗料の塗膜を有する製品、特にレンジフードなどの油汚れし易い厨房関連部品では、剥離し易い塗膜を形成するペイントを塗装し、油で汚れた場合に、この塗膜を剥して塗装し直す作業を行ったり、また、粉体塗料で形成した塗膜の上に、さらにフッ素系やシリコーン系クリヤー塗料を焼付け塗装し、油汚染に強い塗膜を形成していた。このため粉体塗料を用いると煩雑な再塗装が必要となったり、高価なフッ素系樹脂やシリコーン系樹脂クリヤー塗料が必要になるなどの問題点があった。
　このため塗膜の汚れ、特に油汚れに強く、簡単な洗浄で復元できる塗膜を形成する粉体塗料の開発が望まれていた。
　【０００３】
　【発明が解決しようとする課題】
　本発明は、これまでの粉体塗料の問題点を解決し、耐油汚染性に優れた塗膜を形成する粉体塗料を提供することを目的とする。
　【０００４】
　【課題を解決するための手段】
　本発明者らは、前記課題を解決するために研究を行った結果、ポリエステル樹脂及びブロックポリイソシアネートを含む粉体塗料に、所定量の
高分子鎖中にＯＨ基を含むパーフルオロアルキル鎖のミクロドメイン構造を有するアクリルオリゴマー
高分子鎖中にＯＨ基を含むパーフルオロアルキル鎖のミクロドメイン構造を有するアクリルオリゴマー
　【０００５】
　本発明で用いるポリエステル樹脂は、カルボン酸と多価アルコールとを通常の方法で反応させたものであって、水酸基価が２０〜８０ｍｇＫＯＨ／ｇ、好ましくは３０〜６０ｍｇＫＯＨ／ｇの範囲のものが好適である。このように水酸基価を限定するのは、２０ｍｇＫＯＨ／ｇよりも低いと、塗膜に十分な機械的物性が得にくいからであり、８０ｍｇＫＯＨ／ｇよりも高いと、それに見合う量の架橋剤を配合すればコストの上昇が大きくなり、また、それに見合うだけの塗膜性能の向上も期待できないからである。また、ここで用いるカルボン酸の例を挙げると、テレフタル酸、イソフタル酸、フタル酸、コハク酸、グルタル酸、アジピン酸、セバシン酸、β−オキシプロピオン酸などがあり、多価アルコールの例を挙げると、エチレングリコール、プロパンジオール、ブタンジオール、ペンタンジオール、ヘキサンジオール、ネオペンチルグリコール、トリメチロールプロパン、ペンタエリスリトール等がある。
　【０００６】
　本発明において、架橋剤として使用するブロックポリイソシアネートは、室温で固体のものである。該イソシアネートの例を挙げると、脂肪族、芳香族、及び芳香脂肪族のジイソシアネートと、活性水素を有する低分子化合物とを反応させて得たポリイソシアネートを、ブロック剤と反応させ、マスキングすることにより製造したものであって、その製造は容易である。また、ここで用いるジイソシアネートの例を挙げると、トリレンジイソシアネート、４，４’−ジフェニルメタンイソシアネート、キシリレンジイソシアネート、ヘキサメチレンジイソシアネート、４，４’−メチレンビス（シクロヘキシルイソシアネート）、メチルシクロヘキサンジイソシアネート、ビス（イソシアネートメチル）シクロヘキサン、イソホロンジイソシアネート、ダイマー酸ジイソシアネート、リジンジイソシアネート等がある。
　【０００７】
　また活性水素を有する低分子化合物の例を挙げると、水、エチレングリコール、プロピレングリコール、トリメチロールプロパン、グリセリン、ソルビトール、エチレンジアミン、エタノールアミン、ジエタノールアミン、ヘキサメチレンジアミンなどの他に、更に、イソシアヌレート、ウレチジオン、ヒドロキシル基を含有する低分子量ポリエステル、ポリカプロラクトン等がある。
　また、ブロック剤の具体例を挙げると、メタノール、エタノール、ベンジルアルコール等のアルコール類、フェノール、クレゾーン等のフェノール類、カプロラクタム、ブチコラクタム等のラクタム類、シクロヘキサノン、オキシム、メチルエチルケトオキシム等のオキシム類がある。
　【０００８】
　これらのブロックイソシアネートは、その軟化温度が１０℃〜１２０℃、特に、４０〜１００℃であることが好ましい、軟化温度が１０℃未満になると、粉体塗料が室温〜４０℃の環境で硬化したり、粒状の塊が出来て好ましくない。また、逆に１２０℃を越えると粉体塗料を製造する際、ブロックイソシアネートを塗料中に均質に分散させることが難かしくなり、得られた塗膜の平滑性、塗膜強度、耐湿性等の性能が損なわれる。
　【０００９】
　これらブロックポリイソシアネートは、ポリエステル樹脂の水酸基に対してイソシアネート基が０．０５〜１．５当量、特に０．８〜１．２当量となるように配合するのが好ましい。このように限定するのは、イソシアネート基が０．０５当量未満の場合、塗料の硬化度が不足し、密着性、塗膜硬度、耐薬品性等の塗膜性能が低くなり、１．５当量を越えると、塗膜が脆くなり、しかも、過剰のイソシアネート化合物の影響で、耐熱性、耐薬品性、耐湿性等が劣るとともに、ブロックイソシアネート自身が高価なため、コスト的にも不利になるからである。
　本発明で用いる
高分子鎖中にＯＨ基を含むパーフルオロアルキル鎖のミクロドメイン構造を有するアクリルオリゴマー
　【００１０】
　本発明で用いる
高分子鎖中にＯＨ基を含むパーフルオロアルキル鎖のミクロドメイン構造を有するアクリルオリゴマーの例を挙げると、ＤＥＦＥＮＳＡ　ＭＣＦ３１２〔大日本インキ化学工業社製商品名；ＯＨ価／固形分５９〕がある。
　本発明のポリエステル粉体塗料は、前記ポリエステル樹脂及びブロックポリイソシアネートをバインダーとし、着色顔料、体質顔料、その他の添加剤を含む塗料用樹脂粉体１００重量部に対し、前記
高分子鎖中にＯＨ基を含むパーフルオロアルキル鎖のミクロドメイン構造を有するアクリルオリゴマー
アクリルオリゴマー
のアクリルオリゴマー
　【００１１】
　また、該粉体塗料に用いる顔料の例を挙げると、二酸化チタン、ベンガラ、酸化鉄、カーボンブラック、フタロシアニンブルー、フタロシアニングリーン、キナクリドン系顔料、アゾ系顔料、イソインドリノン系顔料などの着色顔料、シリカ、タルク、沈降性硫酸バリウム、炭酸カルシウムなどの体質顔料がある。また、他の添加剤としては、レベリング剤、帯電防止剤、紫外線吸収剤、垂れ防止剤、表面調整剤、架橋促進触媒、脱泡剤等を使用でき、さらにポリエステル樹脂、アクリル樹脂等の各種改質樹脂を配合することができる。
　【００１２】
　本発明のポリエステル粉体塗料は、ポリエステル樹脂４０〜６０重量部、好ましくは５０〜５５重量部、ブロックポリイソシアネート５〜２５重量部、好ましくは１０〜１５重量部、顔料２０〜４０重量部、好ましくは３０〜３５重量部からなる塗料用樹脂粉体１００重量部に対し、
高分子鎖中にＯＨ基を含むパーフルオロアルキル鎖のミクロドメイン構造を有するアクリルオリゴマー
アクリルオリゴマー
のアクリルオリゴマー
　【００１３】
　【発明の効果】
　本発明は、従来のポリエステル粉体塗料の性能を維持しつつ、持続的な撥油性を有し、油汚れに強い塗膜を与える粉体塗料を提供する。
　【００１４】
　【実施例】
　以下、本発明を実施例によりさらに詳細に説明する。なお実施例中「部」、「％」は重量基準で示す。
　（実施例１〜
３
３
　表１及び２に示した組成の混合物を、２軸ニーダーを用いて溶融混練し、得られた混合物を冷却、固化した後、粉砕し、１８０メッシュの金網で分離して、粉体塗料を得た。得られた粉体塗料をリン酸亜鉛処理板上に膜厚が５０〜６０μｍになるように静電塗装した後、１８０℃で２０分間焼付けを行い、その物性評価を行った。結果を表１に示す。
　【００１５】
　【表１】
　【００１６】
　【表２】
　【００１７】
注１）ＧＶ７１０〔日本ユピカ社製商品名；水酸基価４３ｍｇＫＯＨ／ｇ、Ｔｇ５５℃、重量平均分子量１１５００〕
注２）ＧＶ７４６〔日本ユピカ社製商品名；水酸基価７６ｍｇＫＯＨ／ｇ、Ｔｇ６０℃、重量平均分子量１９５００〕
　
【００１８】
注６）Ｍ８０７６〔大日本インキ化学工業社製；水酸基価４３ｍｇＫＯＨ／ｇ、Ｔｇ６３℃、重量平均分子量１３０００〕
注７）Ｍ８０５０〔大日本インキ化学工業社製；水酸基価４０ｍｇＫＯＨ／ｇ、Ｔｇ６２℃、重量平均分子量１６０００〕
注８）Ｂ１５３０〔Ｈｕｌｌｓ社製；イソホロンジイソシアネートのε−カプロラタム付加物・軟化点８５℃〕
注９）ＰＦ８５〔共栄社化学社製；有機共重合物〕
　【００１９】
注１１）ＤＥＦＥＮＳＡ　ＭＣＦ３１２〔大日本インキ化学工業社製商品名；ＯＨ価／固形分　５９〕
注１２）ルブロンＬ２、Ｌ５〔ダイキン工業社製商品名；低分子量四フッ素系エチレン樹脂〕
＜油汚染性試験＞
　通常、家庭台所で使用する油を用い塗膜にハケ塗りを行い、目視判定を行った。
○；塗膜に油をハケ塗りし、布でふきとり、さらにハケ塗りし、布でふきとる工程を繰り返しても、持続性がある。
△；上記操作を３回繰り返すうちに効果がなくなる。
×；１回塗りした後に油膜になる。
　【００２０】
　表１及び表２に示した結果から、本願発明のポリエステル粉体塗料である実施例１〜
３
示すことが分かる
高分子鎖中にＯＨ基を含むパーフルオロアルキル鎖のミクロドメイン構造を有するアクリルオリゴマー
１
高分子鎖中にＯＨ基を含むパーフルオロアルキル鎖のミクロドメイン構造を有するアクリルオリゴマー
２
３